(57)【要約】【課題】遊技媒体受領装置を備え、遊技機の筐体が概ね左右対称となるような印象を与えると共に、遊技媒体受領装置のメンテナンスが容易に行なえる遊技機を提供する。【解決手段】本発明の遊技機は、遊技領域を有し、外観デザインが遊技領域を中心として略左右対称形状となる第１の筐体１０と、この第１の筐体１０の側部に設置され、遊技を行なう際に遊技媒体が投入される遊技媒体受領装置５１を組み込んだ第２の筐体５０とを有することを特徴とする。【選択図】    図１
2005131371.tif 000002
【特許請求の範囲】
【請求項１】
遊技領域を有し、外観デザインが遊技領域を中心として略左右対称形状となる第１の筐体と、
この第１の筐体の側部に設置され、遊技を行なう際に遊技媒体が投入される遊技媒体受領装置を組み込んだ第２の筐体と、
を有することを特徴とする遊技機。
【請求項２】
前記第２の筐体は、回動可能に軸支される第１及び第２の開放扉を備えており、これら各開放扉は、軸支されない開放側端部が閉鎖したときに接触する閉鎖接触構造を有することを特徴とする請求項１に記載の遊技機。
【請求項３】
前記第２の筐体には、前記第１及び第２の開放扉同士を跨いで施錠する施錠手段が設けられていることを特徴とする請求項２に記載の遊技機。
【請求項４】
前記第２の筐体は、前記第１の筐体に対して着脱可能であることを特徴とする請求項１から３のいずれか１項に記載の遊技機。
【請求項５】
前記第２の筐体に設けられた第１の開放扉は、第１の筐体に設けられる台座部と略面一に設けられることを特徴とする請求項１から４のいずれか１項に記載の遊技機。
【請求項６】
前記第２の筐体は、前記第１の筐体よりも幅が狭く、高さが低いことを特徴とする請求項１から５のいずれか１項に記載の遊技機。
【請求項７】
前記第２の筐体は、前記遊技媒体を挿入するための挿入部を有し、前記挿入部が前記第１の筐体における遊技領域よりも下側に配置されていることを特徴とする請求項１から６のいずれか１項に記載の遊技機。
【請求項８】
遊技に必要な遊技用ユニットと、遊技に必要な遊技媒体を受け入れる遊技媒体受領装置とを有する遊技機であって、
互いに大きさの異なる第１及び第２の筐体を有し、
前記遊技用ユニットが前記第１の筐体に組み込まれ、前記遊技媒体受領装置が前記第２の筐体に組み込まれたことを特徴とする遊技機。
【請求項９】
各種の遊技が行なわれる遊技機の側部に着脱可能に設置され、遊技が行なわれる際に遊技媒体が投入される遊技媒体受領ユニットであって、
投入される遊技媒体を識別する識別部及び遊技媒体を収容する収容部を具備した遊技媒体受領装置を組み込んだ筐体と、
この筐体に開放側端面同士が接触するように回動可能に軸支される第１及び第２の開放扉と、
を有することを特徴とする遊技媒体受領ユニット。
【請求項１０】
前記筐体には、前記第１及び第２の開放扉同士を跨いで施錠する施錠手段が設けられていることを特徴とする請求項９に記載の遊技媒体受領ユニット。
【発明の詳細な説明】
【技術分野】
【０００１】
本発明は、各種の遊技が行なえる遊技機、及びそのような遊技機に設置可能な遊技媒体受領ユニットに関する。
【背景技術】
【０００２】
一般的に、遊技機には、その遊技の態様、及びそのような遊技を実行する遊技用ユニットを組み込んでいる筐体に関して様々な形態のものが知られている。例えば、遊技機の一つとして知られているスロットマシンには、特許文献１に開示されているように、着座して遊技するタイプ（スラント型とも称される）や、特許文献２に開示されているように、立って遊技するタイプ（アップライト型とも称される）がある。
【０００３】
そして、このような遊技機には、上記した特許文献１，２にも開示されているように、遊技媒体（紙幣や硬貨のような貨幣や、メダル、プリペイドカードのような現金以外の媒体；これらの特許文献では紙幣）を投入することで、遊技が行なえるようにしたものがあり、このような遊技機では、遊技者からの遊技媒体を受け取る遊技媒体受領装置が筐体内に組み込まれている。通常、このような遊技媒体受領装置は、上記した特許文献１のように、投入された遊技媒体（紙幣）の真贋を識別する紙幣識別部と、真正と識別された紙幣を収容しておく収容部（金庫）を備えて構成されている。
【特許文献１】特開２００３−６７８１０号公報
【特許文献２】特開２００１−１９８２６５号公報
【発明の開示】
【発明が解決しようとする課題】
【０００４】
上述したように、遊技機の筐体内に遊技媒体受領装置を組み込む場合、遊技領域との関係を考慮すると、それは遊技機の筐体側部に組み込まざるを得ない。ところが、遊技媒体受領装置はかなり大型であるため、遊技領域を中心として、遊技機の筐体を左右対称形状にすることが困難となる。すなわち、遊技領域が側方側にシフトした印象を与えるため、遊技者に多少の違和感を与えると共に、特許文献１に開示されているような遊技機を多数隣接して配置した場合には、視覚的にバランスも良くない。
【０００５】
また、上記したように、遊技媒体受領装置は、紙幣識別部と収容部を備えて構成されており、メンテナンス時では、この両者を取り外すことがあるため、作業が行ない易いように、筐体に大きな開口を形成しておくことが好ましいが、実際に筐体内に組み込んだ構成では、レイアウト的に大きい開口を形成することが困難になってしまう（手前の操作部が邪魔になってしまい大きな開口を形成するには制約が生じてしまう）。
【０００６】
本発明は、上記した問題点に着目してなされたものであり、遊技媒体受領装置を備え、遊技機の筐体が概ね左右対称となるような印象を与えると共に、遊技媒体受領装置のメンテナンスが容易に行なえる遊技機を提供することを目的とする。また、本発明は、遊技機を小型化することを可能にし、かつメンテナンス性が向上した遊技媒体受領ユニットを提供することを目的とする。
【課題を解決するための手段】
【０００７】
上記した目的を達成するために、請求項１に係る遊技機は、遊技領域を有し、外観デザインが遊技領域を中心として略左右対称形状となる第１の筐体と、この第１の筐体の側部に設置され、遊技を行なう際に遊技媒体が投入される遊技媒体受領装置を組み込んだ第２の筐体とを有することを特徴とする。
【０００８】
このような構成では、遊技領域を有する第１の筐体とは別に、遊技媒体受領装置を組み込んだ第２の筐体が設置されるため、遊技者が遊技を行なう第１の筐体は、レイアウト的な制約がなくなり、遊技領域を中心として略左右対称形状にすることが可能となる。すなわち、遊技領域が第１の筐体の幅方向略中央に配置されることで、第１の筐体は、外観上、左右対称形状とすることが可能となり、見た目上、違和感がなくなってデザインの向上が図れるようになる。この場合、第１の筐体は、正確に左右が対称になっているのが好ましいが、遊技者が着座等して遊技実行状態となった際、遊技者に対し、遊技領域を中心として左右対称である印象を与える程度に構成されていれば良い。また、第２の筐体内に組み込まれる遊技媒体受領装置は、第１の筐体とは関係がなくなることから、第２の筐体に形成され、遊技媒体受領装置を露出させる開口を最適な大きさに形成することが可能となり、これによりメンテナンスの向上が図れるようになる。
【０００９】
また、請求項２に係る発明では、前記第２の筐体は、回動可能に軸支される第１及び第２の開放扉を備えており、これら各開放扉は、軸支されない開放側端部が閉鎖したときに接触する閉鎖接触構造を有することを特徴とする。
【００１０】
このような構成では、各開放扉を、観音開きするような支持構造とすることが可能になるため、開口状態を極力大きくすることができ、内部に組み込まれた遊技媒体受領装置を取り外す等のメンテナンス作業が容易に行なえるようになる。また、メンテナンス作業に応じて、いずれか一方の開放扉を開けることも可能となり、作業性が向上する。なお、各開放扉は、例えば、第２の筐体の上面部分と前面部分に夫々設けることができ、これにより、上面領域から前面領域に亘って第２の筐体を大きく開口することが可能となる。
【００１１】
また、請求項３に係る発明では、前記第２の筐体には、前記第１及び第２の開放扉同士を跨いで施錠する施錠手段が設けられていることを特徴とする。
【００１２】
このような構成では、第１及び第２の開放扉を１回の施錠操作で施錠、開錠することができると共に、部品点数の削減が図れる。
【００１３】
また、請求項４に係る発明では、第２の筐体は、第１の筐体に対して着脱可能であることを特徴とする。
【００１４】
このような構成では、遊技機によって、遊技媒体受領装置が不要となる場合に、第２の筐体を取り外しておくことが可能になるため、遊技機全体を最小サイズにすることが可能となる。
【００１５】
また、請求項５に係る発明では、前記第２の筐体に設けられた第１の開放扉は、第１の筐体に設けられる台座部と略面一に設けられることを特徴とする。
【００１６】
このような構成では、第１の筐体において各種の操作ボタンが設けられた台座部との間で凹凸が無くなって統一感が得られることから、全体的にすっきりしたデザインとなる。
【００１７】
また、請求項６に係る発明では、前記第２の筐体は、前記第１の筐体よりも幅が狭く、高さが低いことを特徴とする。
【００１８】
このような構成では、第２の筐体が、遊技が行なわれる第１の筐体よりも小型化されているため、遊技者が遊技を行なう上で、邪魔になるようなことはない。
【００１９】
また、請求項７に係る発明では、前記第２の筐体は、前記遊技媒体を挿入するための挿入部を有し、前記挿入部が前記第１の筐体における遊技領域よりも下側に配置されていることを特徴とする。
【００２０】
このような構成では、遊技者が遊技中に遊技媒体を挿入する際、遊技領域よりも下側で挿入操作が行なえるため、遊技者が遊技を行なう上で、邪魔になるようなことはない。
【００２１】
また、請求項８に係る発明においては、遊技に必要な遊技用ユニットと、遊技に必要な遊技媒体を受け入れる遊技媒体受領装置とを有する遊技機であって、互いに大きさの異なる第１及び第２の筐体を有し、前記遊技用ユニットが前記第１の筐体に組み込まれ、前記遊技媒体受領装置が前記第２の筐体に組み込まれたことを特徴とする。
【００２２】
このような構成の遊技機では、遊技用ユニットが組み込まれる第１の筐体とは別に遊技媒体受領装置が組み込まれる第２の筐体を有することとなるので、第１の筐体内に遊技媒体受領装置を組み込む必要がなくなる。このため、第１の筐体における遊技用ユニットの配置に関するレイアウトの制約がなくなり、遊技用ユニットを幅方向の中央に配置する等、外観デザインの向上が図れるようになる。なお、第２の筐体については、第１の筐体に対して着脱可能に構成したり、遊技者の遊技動作に影響を与えないように、第１の筐体よりも高さを低くする等、小型化しておくことが好ましい。
【００２３】
また、上述した目的を達成するために、請求項９に係る遊技媒体受領ユニットは、各種の遊技が行なわれる遊技機の側部に着脱可能に設置されるように構成されており、そこに投入される遊技媒体を識別する識別部及び遊技媒体を収容する収容部を具備した遊技媒体受領装置を組み込んだ筐体と、この筐体に開放側端面同士が接触するように回動可能に軸支される第１及び第２の開放扉とを有することを特徴とする。
【００２４】
このような構成の遊技媒体受領ユニットは、必要に応じて各種の遊技機に設置される。このため、遊技機側に予め遊技媒体受領装置を組み込んでおく必要が無くなり、遊技機の小型化が図れると共に、遊技機は、遊技が行なわれる領域を中心として略左右対称形状に構成することが可能となる。また、そのような遊技媒体受領ユニットは、各開放扉を、開放側端面同士が接触するように回動可能に軸支しているため、開口状態が大きくなって、内部に組み込まれた遊技媒体受領装置を取り外す等のメンテナンス作業が容易に行なえるようになる。更に、メンテナンス作業に応じて、いずれか一方の開放扉を開けることも可能となり、作業性が向上する。
【００２５】
また、請求項１０に係る発明は、前記第１及び第２の開放扉同士を跨いで施錠する施錠手段が設けられていることを特徴とする。
【００２６】
このような構成では、第１及び第２の開放扉を１回の施錠操作で施錠、開錠することができると共に、部品点数の削減が図れる。
【発明の効果】
【００２７】
本発明の遊技機によれば、遊技用ユニットを組み込んだ第１の筐体の側部に、遊技媒体受領装置を組み込んだ第２の筐体を設置するように構成されているので、実際に遊技が行なわれる第１の筐体を、概ね左右対称となるような印象を与えるように構成することが可能になる。また、遊技媒体受領装置は、第１の筐体の構成部品に影響されることは無いので、第２の筐体に形成される開口を最適な大きさに形成することが可能となり、これによりメンテナンスの向上が図れるようになる。
【００２８】
また、本発明の遊技媒体受領ユニットによれば、必要となる場合に遊技機側に設置すれば良いので、遊技機全体を小型化することが可能になると共に、遊技媒体受領装置のメンテナンス性の向上が図れる。
【発明を実施するための最良の形態】
【００２９】
以下、本発明に係る遊技機の第１の実施形態を図１から図５を参照して具体的に説明する。なお、以下の実施形態では、遊技機として、スラント型のスロットマシンを例示して説明する。
【００３０】
図１は、本実施形態に係るスロットマシンの一例を示した斜視図である。  
本実施形態に係るスロットマシン１は、それぞれ図柄が描かれた３個の回転リール３Ｌ，３Ｃ，３Ｒを横一列に回転可能に配設したリールユニット（遊技を行なうためのユニットであり、遊技用ユニットとも称する）を内部に組み込んだ第１の筐体１０と、この第１の筐体１０の側部に設置され、遊技媒体受領装置（本実施形態では、紙幣受領装置）５１を内部に組み込んだ第２の筐体５０とを備えて構成されている。
【００３１】
前記第１の筐体１０は、着座した状態で前記回転リール３Ｌ，３Ｃ，３Ｒが視認し易いように、水平方向に対して後方側が上昇するように傾斜している。この筐体１０には、正面から見て左側の端部を軸にして幅方向（左右方向）に開閉可能な開閉扉（その表面側は回転リールが視認できる遊技領域を構成する）１１が装着されており、前記回転リール３Ｌ，３Ｃ，３Ｒは、この開閉扉１１の左右方向略中央領域に位置するように配置されている。なお、前記開閉扉１１は、各回転リール３Ｌ，３Ｃ，３Ｒを外側から視認するための３つの窓部１１Ｌ，１１Ｃ，１１Ｒを有しており、各窓部１１Ｌ，１１Ｃ，１１Ｒを通して、外側から回転リール３Ｌ，３Ｃ，３Ｒを視認できるようになっている。これらの窓部は、遊技者が遊技動作中に視認する遊技領域（視認部）でもあり、第１の筐体１０の幅方向略中央に配置され、各窓部１１Ｌ，１１Ｃ，１１Ｒに対応して回転リール３Ｌ，３Ｃ，３Ｒも、第１の筐体１０の幅方向略中央に配置されている。
【００３２】
また、第１の筐体１０は、開閉扉１１の下方に、開閉扉よりも緩やかな傾斜面を具備した台座部１３を備えており、この台座部１３には、遊技を行なう上で必要とされる各種の操作部材（ＢＥＴボタン、リール回転ボタン、リール停止ボタン等の各種ボタンやコインを投入する投入口等）が形成されている。
【００３３】
前記台座部１３の手前側には、略水平面を有するアームレスト１５が設けられており、遊技者が図示されていない椅子に座った状態で、腕をアームレスト１５に載せて台座部１３に設けられた各種の操作部材が操作し易いように構成されている。
【００３４】
また、前記筐体１０は、開閉扉１１の後方側に底部から垂直に起立している２枚の側面パネル部１７を備えており、開閉扉１１よりも上側の側面パネル部１７の間に、例えば、入賞図柄の組み合せや配当等を表示する配当表１８や、遊技中に遊技の興趣を増大するため、演出用の効果音を発音するスピーカ２０Ｌ，２０Ｒ等が設けられている。
【００３５】
なお、上記した第１の筐体１０には、更に、遊技の興趣を増大するための各種の装置が設けられていても良く、例えば、前記開閉扉１１に、回転リール３Ｌ，３Ｃ，３Ｒが透過して視認できる液晶表示装置１２（透過型の液晶表示装置）を配置し、ここで、遊技に応じて各種の動的な演出画像を表示したり、遊技者が遊技を有利に進めるために必要な情報の表示等を行なうようにしても良い。この場合、透過型の液晶表示装置は、保護ガラス、表示板、液晶パネル、導光板、反射フィルム、蛍光ランプ、及び液晶パネル駆動用のＩＣを搭載したテーブルキャリアパッケージ（ＴＣＰ）等を具備して構成される。
【００３６】
また、スロットマシン１は、図５に示すように、ＣＰＵ（Central Processing Unit）、ＲＡＭ（Random Access Memory）、ＲＯＭ（Read Only  Memory）等を有し、スロットマシン１の動作制御を司る主制御基板３０を有している。この主制御基板３０には、後述するように、紙幣受領装置５１が電機的に接続されている。
【００３７】
前記第１の筐体１０の側部に設置される第２の筐体５０は、図１に示すように、第１の筐体１０の略半分の高さで、幅方向に薄肉厚な略直方体形状に構成されている。この第２の筐体５０は、図５に示すように、第１の筐体１０の内側からビスａを用いるビス止めによって第１の筐体１０の側方パネル１７に固定される一方、ビスａを外すことによって、第１の筐体１０から取り外すことができ、第１の筐体１０の側部に着脱可能となっている。この場合、第１の筐体１０及び第２の筐体５０には、夫々コード孔１７ａ，５０ａが形成されており、両筐体が固定された状態で、両コード孔１７ａ，５０ａは、一致するように形成されている。そして、第２の筐体５０の内部には、両コード孔１７ａ，５０ａを介して挿通される接続コード６３によって、前記第１の筐体内に内蔵された主制御基板３０と電気的に接続される紙幣受領装置５１が組み込まれている。
【００３８】
図２は、第２の筐体５０部分を拡大して示す斜視図であり、図３は、内部に組み込まれている紙幣受領装置５１の構成例を示す斜視図である。  
この紙幣受領装置５１は、実際に紙幣を受け入れる紙幣受け入れ口５３が形成されると共に、紙幣受入口５３から挿入された紙幣の有効性を識別する紙幣識別部５５を具備する本体５７と、この本体５７に対して手前側に引き出し可能に装着され、前記紙幣識別部５５において有効と判断した紙幣をストックする収容部（金庫）６０とを備えて構成されている。収容部６０の下面側には、内部にストックされた紙幣を取り出すための開閉蓋（図示せず）が設けられていると共に、その上面側には、紙幣受入口５３に挿入され、かつ有効と識別された紙幣を受け入れる紙幣収納口６１が形成されている。
【００３９】
前記紙幣識別部５５は、紙幣識別制御回路基板５８を内蔵しており、この紙幣識別制御回路基板５８には、紙幣を搬送するモータを駆動制御したり、紙幣を識別するためのセンサからの信号を検出して紙幣の真贋といった有効性の判断を行ったり、収容部６０側に信号を送信する等の機能を有する制御回路が実装されている。
【００４０】
上記した構成の紙幣受領装置５１は、第２の筐体５０の内部に設けられた係止構造によって、所定の位置に組み込まれた状態で保持される。
【００４１】
そして、前記第２の筐体５０には、その上面及び前面に、それぞれ開放扉７０（第１の開放扉）及び開放扉８０（第２の開放扉）が回動支持部７０ａ，８０ａによって回動可能に支持されている。これらの開放扉７０，８０は、双方を閉鎖したときに、回動支持部７０ａ，８０ａとは反対側の軸支されない開放側端部が互いに接触する構造（閉鎖接触構造）を有している。この閉鎖接触構造を有することにより、各開放扉７０，８０は、図２に示すように、前面及び上面に亘って略観音開きするように構成することができ、紙幣受領装置５１を取り出し易いように、大きく開口させることが可能になる。また、各開放扉７０，８０の内側に紙幣受領装置５１が組み込まれているため、開放扉７０，８０を双方とも開放することによって、紙幣受領装置を容易に取り出すことが可能となる。
【００４２】
また、各開放扉７０，８０には、各開放扉が開いた状態が維持できるように、第２の筐体５０との間で保持部材、具体的には、図に示すような屈曲可能な連結バー７０ｃ、及びチェーン８０ｃを設けておくことが好ましい。
【００４３】
前記第２の筐体５０の上面となる開放扉７０には、紙幣受領装置の紙幣受入口５３に対応するように、紙幣挿入口（遊技媒体を挿入する挿入部）７１が形成されている。また、本実施形態では、第２の筐体５０の高さを第１の筐体１０の高さの略半分程度に抑えると共に、開放扉７０の表面側を、上述した第１の筐体１０の台座部１３と略面一となるように構成している。このため、紙幣挿入口７１は、図１に示すように、開放扉７０を閉じた状態で遊技領域（視認部）よりも下方に位置するようになっている。
【００４４】
上記した開放扉７０，８０には、図２及び図４に示すように、施錠手段９０が設けられている。本実施形態の施錠手段９０は、前面側の開放扉８０の上端部に設けられた施錠部９１と、この施錠部（シリンダ）９１に所定の鍵１００を挿入して回転操作した際、それと共に回転するプレート９２と、開放扉７０裏側の内壁部７０ｄに設けられた係合部材９５とを備えており、開放扉７０，８０の双方を跨いで施錠できるような構成を有している。前記プレート９２には、凹状の切欠き９２ａが形成されており、この切欠き９２ａは、上面側の開放扉７０の端部領域７０ｂにおいて、開放扉７０の厚さ方向に沿って形成された内壁部７０ｄに、プレート９２の回転方向と直交する方向に突設された前記係合部材９５に対して側方側から嵌まり込むよう構成されている。すなわち、非ロック状態では、プレート９２は、図４（ａ），（ｂ）に示す水平状態にあり、この状態から施錠部９１をロックすべく、鍵１００を差し込んで時計回り方向に回転操作した際、図４（ｃ）に示すように垂直状態に回動されて、切欠き９２ａが側方側から係合部材９５に嵌まり込むよう構成されている。このように、開放扉７０に突設された係合部材９５にプレート９２の切欠き９２ａが嵌まり込むと、係合部材９５の上方への移動が規制されると共に、垂直方向に回動したプレート９２は、係合部材９５および内壁部７０ｄによって手前側への移動が規制される。
【００４５】
すなわち、このような構成の施錠手段９０によれば、図２に示すように、両開放扉７０，８０が開いた状態で開放扉８０、及び開放扉７０を閉め（図４（ａ），（ｂ）参照）、施錠部９１に鍵１００を挿入して右側に回転操作することで、プレート９２の切欠き９２ａが係合部材９５に嵌まり込む（図４（ｃ）参照）。これにより、開放扉７０は、上方側への開放がロックされると共に、開放扉８０は、手前側への開放がロックされる。従って、施錠手段９０は、開放扉７０，８０の双方を跨ぐように係合し、１回の施錠操作で開放扉７０，８０の双方を施錠することができる。また、図４（ｃ）に示すような双方の施錠状態から図４（ａ）に示す状態に鍵１００を反時計回り方向に９０度回転操作する開錠操作を１回行なえば、両開放扉７０，８０の双方、又はいずれか一方の開放扉を開放操作することが可能になる。
【００４６】
以上のように構成されるスロットマシン１は、リールユニットが組み込まれる第１の筐体１０とは別に遊技媒体受領装置が組み込まれる第２の筐体５０を有するので、第１の筐体１０には遊技媒体受領装置５１を組み込む必要がなくなる。そのため、第１の筐体１０における各窓部１１Ｌ，１１Ｃ，１１Ｒ（遊技用ユニット）の配置に関するレイアウトの制約がなくなり、各窓部１１Ｌ，１１Ｃ，１１Ｒを左右方向の略中央に配置して、略左右対称であるとの印象が得られるようにすることができる。従って、スロットマシン１は遊技者から見た視覚的なバランスも良好であり、外観のデザイン性も高くなっている。
【００４７】
また、第２の筐体５０は、第１の筐体１０の側部に配設されていることから、遊技者が第１の筐体１０における各窓部１１Ｌ，１１Ｃ，１１Ｒを視認する際の妨げになることが少ない。第２の筐体５０は、ビスａを外すことによって第１の筐体１０から取り外し可能であるから、遊技媒体受領装置５１が組み込まれた単独の紙幣受領ユニットとなる。特に、第２の筐体５０は、第１の筐体１０よりも幅が狭くて高さが半分程度と低いので、遊技者が各窓部１１Ｌ，１１Ｃ，１１Ｒを視認しながら遊技（スロットゲーム）を行なうときに邪魔になることがない。さらに、遊技媒体受領装置５１が各窓部１１Ｌ，１１Ｃ，１１Ｒよりも下側に配置されているので、遊技中に紙幣を挿入しようとするときに紙幣挿入口７１が遊技者の視界中央に入りにくく、その分、遊技者が遊技に集中しやすい構造になっている。
【００４８】
さらに、第２の筐体５０が開放扉７０，８０を有し、開放扉７０，８０がいわゆる観音開きで開閉するようになっているので、開放扉７０，８０を双方とも開放したときに、大きな開口部を得ることができる。そのため、必要に応じて第２の筐体５０に収納されている装置の出し入れを容易に行なえ、特に、開放扉７０，８０の内側に遊技媒体受領装置５１が収納されているから、遊技媒体受領装置５１のメンテナンス作業が容易に行なえる。また、メンテナンス作業に応じて、開放扉７０，８０のいずれか一方を開放することも可能であるから、作業性が向上する。すなわち、紙幣受領装置５１における紙幣識別部５５の保守等が必要なときは、開放扉７０だけをあければ良く、また、貨幣収納体６０の出し入れをするときは開放扉８０だけを開ければ良い。
【００４９】
そして、スロットマシン１は、施錠手段９０を有しているから、１回の施錠操作で開放扉７０，８０の双方を施錠することができ、メンテナンス作業に伴う開放扉７０，８０の開閉操作が容易となっている。さらに、開放扉７０は、台座部１３と略面一となるように構成されているため、台座部１３との間で統一感が得られる。また、スロットマシン１は、凹凸がなくて外観デザインがすっきりしたものとなる。さらに、施錠手段９０は、単一の構造で開放扉７０，８０の両方を施錠、及び開錠することが可能になるため、部品点数の削減が図れる。
【００５０】
さらにまた、スロットマシン１を多数隣接して配置すると、スロットマシン１同士の間にスロットマシン１の半分程度の高さを有する空間が形成されるため、遊技者に与える圧迫感を解消することができる。しかも、略左右対称の印象が得られるスロットマシン１が多数設置される格好になるので、全体としての見栄えも向上する。
【００５１】
図６は、本発明の第２の実施形態を示す図である。  
本実施形態におけるスロットマシン１００は、上述したスロットマシン１と同様に、第１及び第２の筐体を有し、リールユニット及び紙幣受領装置５１を有するが、第１及び第２の筐体１０，５０とは形状の異なる２つの筐体１１０，１５０を有している。なお、以下の説明では、第１の実施形態におけるスロットマシン１との相違点を中心に行ない、共通点については説明を省略ないし簡略化する。
【００５２】
第１の筐体１１０は、第１の筐体１０と比較して、主に、窓部１１２を有する開閉扉１１１が略正方形に近い矩形状で縁取りされている点と、アームレスト１１５の形状が異なる点とで相違している。また、第２の筐体１５０は、第２の筐体５０と比較して、高さが高い点と、開放扉１７０が開閉扉１１１とほぼ同様の傾斜を有する点と、開放扉１７０，１８０がそれぞれ個別の施錠手段１７１，１８１で施錠できる点とで相違している。さらに、開放扉１７０は台座部１３と略面一になっていない点でも相違している。なお、第２の筐体１５０は、第２の筐体５０よりも高さを高くしているため、例えば、チケットプリンターを内蔵できるようになっている。
【００５３】
このような構成を有するスロットマシン１００も、スロットマシン１と同様に、第１の筐体１１０とは別に第２の筐体１５０を有するので、第１の筐体１１０には遊技媒体受領装置５１を組み込まなくても良く、窓部１１２を幅方向の略中央に配置して、略左右対称となるような印象が得られるようにすることができる。従って、スロットマシン１００も、遊技者からみた視覚的なバランスが良好で、外観のデザイン性が高くなっている。
【００５４】
また、個別の施錠手段１７１，１８１によって、開放扉１７０、開放扉１８０の双方の施錠及び開錠を行なえるから、メンテナンス作業に伴う開放扉１７０，１８０の開閉操作が容易になっている。
【００５５】
以上、本発明の実施形態について説明したが、本発明は、上記した実施形態に限定されることは無く、例えば、以下のように構成することが可能である。  
上述したスロットマシン１，１００は、第１の筐体１０，１１０に対して、紙幣受領装置５１を組み込んだ第２の筐体５０，１５０が取り外し可能に構成されているが、両者は一体化された構成であっても良い。ただし、上記した実施形態のように着脱可能な構成を有していることによって、紙幣受領装置が不要となるスロットマシンでは、第２の筐体５０，１５０を取り外しておくことが可能となり、スロットマシン全体を最小サイズにして省スペース化が図れるようになる。また、このような構成では、第２の筐体５０，１５０は、第１の筐体１０，１１０から独立したものとなり、単独で作動する、いわゆる紙幣受領ユニット（遊技媒体受領ユニット）として利用することが可能となる。このような紙幣受領ユニットは、必要に応じてスロットマシン１に後付けすることができるので、スロットマシン１全体を小型化しておくことが可能となる。
【００５６】
また、第１の筐体１０，１１０の全体形状、第２の筐体５０，１５０の全体形状については、図に示した構成に限られず、適宜変更することが可能である。また、施錠手段における施錠部は、上面側の開放扉に形成されていても良いし、両方の開放扉を、異なる施錠手段によってロックさせても良い。さらに、遊技媒体受領装置は、紙幣に限られず、各種の遊技媒体を扱うよう構成されていても良い。また、開放扉７０と開放扉８０とは２つに分けられていなくても良く、両者は一体化されていても良い。
【産業上の利用可能性】
【００５７】
本発明は、上述した実施の形態で説明したようなスラント型のスロットマシンの他、アップライト型のスロットマシンに適用することが可能であり、更には、スロットマシン以外にも、遊技領域を有する様々な遊技機に適用することが可能である。
【図面の簡単な説明】
【００５８】
【図１】本発明に係る遊技機の第１の実施形態を示す図であり、スロットマシンを示す斜視図。
【図２】図１に示す第２の筐体部分の斜視図。
【図３】第２の筐体に組み込まれる紙幣受領装置の全体構成を示す斜視図。
【図４】（ａ）〜（ｃ）を含み、順に、第２の筐体に設けられた開放扉の施錠手段によるロック方法を示す図。
【図５】第１及び第２の筐体の接合部分と、第１及び第２の筐体の電気的な接続状態を模式的に示す図。
【図６】本発明に係る遊技機の第２の実施形態を示す図であり、スロットマシンを示す斜視図。
【符号の説明】
【００５９】
１，１００  スロットマシン（遊技機）
１０，１１０  第１の筐体
１１  開閉扉
１３  台座部
５０，１５０  第２の筐体
５１  紙幣受領装置（遊技媒体受領装置）
７０，８０，１７０，１８０  開放扉
【図１】
2005131371.tif 000003
【図２】
2005131371.tif 000004
【図３】
2005131371.tif 000005
【図４】
2005131371.tif 000006
【図５】
2005131371.tif 000007
【図６】
2005131371.tif 000008